(57)【要約】【課題】電線を保護及び固定した状態における外形をコンパクトにして、電気機器をコンパクトにする。【解決手段】電線処理用保護具２０を第１の弾性部材２２と第２の弾性部材２３と、これら第１の弾性部材２２と第２の弾性部材２３とを連結する連結片２４とで構成する。第１の弾性部材２２と第２の弾性部材２３とを折り畳んだ状態で電線２１を包むように第１及び第２凹形状溝２６，２７をそれぞれ設ける。連結片２４を、第１の弾性部材２２における、第１の弾性部材２２と第２の弾性部材２３との当接面３０から離れた外周面に連設する。第１の弾性部材２２における連結片２４と第１の弾性部材２２との結合部から当接面３０との間の肉を切り欠いて連結辺収納用凹部２５を形成する。【選択図】図１０
2007208135.tif 000002
【特許請求の範囲】
【請求項１】
電気機器の電流を伝送する電線を該電気機器の内部において保護及び固定するための電線処理用保護具であって、
第１の弾性部材と第２の弾性部材と、該第１の弾性部材と第２の弾性部材とを連結する連結片とで構成され、
上記第１の弾性部材と第２の弾性部材とは、該第１の弾性部材と第２の弾性部材とを折り畳んだ状態で上記電線を包む凹形状溝をそれぞれ有し、
上記連結片は、上記第１の弾性部材における、上記第１の弾性部材と第２の弾性部材との当接面から離れた外周面に連設され、
上記第１の弾性部材における上記連結片と第１の弾性部材との結合部から上記当接面との間には、肉が切り欠かれた連結辺収納用凹部が形成されている
ことを特徴とする電線処理用保護具。
【請求項２】
請求項１に記載の電線処理用保護具において、
上記第１の弾性部材は、上記電線の延びる方向に上記第２の弾性部材よりも長く、該第１の弾性部材と第２の弾性部材とを折り畳んだときに、該第２の弾性部材の両端よりも長く飛び出すように形成されている
ことを特徴とする電線処理用保護具。
【請求項３】
請求項１又は２に記載の電線処理用保護具において、
上記第１の弾性部材と第２の弾性部材との外周の一部には、該第１の弾性部材と第２の弾性部材とを折り畳んだときに連続した一対の凹部が形成されるように肉が切り欠かれた保護具取付用凹部がそれぞれ形成され、
上記電気機器の内部の構造体には、上記一対の保護具取付用凹部に対応するように該保護具取付用凹部側に突出し、該一対の保護具取付用凹部を狭持する一対の保護具取付用爪部が形成されている
ことを特徴とする電線処理用保護具。
【請求項４】
請求項３に記載の電線処理用保護具において、
上記保護具取付用突起の先端には、内側へ突出する保護具係止用鉤部が形成され、
上記保護具係止用鉤部に対応するように、上記保護具取付用凹部には、係止部が凹陥されている
ことを特徴とする電線処理用保護具
【請求項５】
請求項１乃至４のいずれか１つに記載の電線処理用保護具において、
上記凹形状溝は、第１の弾性部材と第２の弾性部材とを折り畳んだときに、上記電線の一端が取付面よりも上方へ向かうように、傾斜して形成されている
ことを特徴とする電線処理用保護具。
【請求項６】
請求項１乃至５のいずれか１つに記載の電線処理用保護具において、
シリコンゴムで構成されている
ことを特徴とする電線処理用保護具。
【請求項７】
請求項１乃至５のいずれか１つに記載の電線処理用保護具において、
ゴム含有プラスチック樹脂で構成されている
ことを特徴とする電線処理用保護具。
【請求項８】
請求項１乃至７のいずれか１つに記載の電線処理用保護具を備えたことを特徴とする携帯通信機器。
【請求項９】
請求項８の携帯通信機器において、
表示部が設けられた第１の筐体と、
操作部を有する第２の筐体と、
上記第１の筐体と第２の筐体とを折り畳み自在に連結するヒンジ部とを備え、
上記第１の筐体は、回転機構を備え、該回転機構に上記表示部が縦長状態と横長状態とに切換操作可能に支持され、
上記電線処理用保護具は、上記表示部と上記第２の筐体とを接続する電線を保護及び固定するように構成されている
ことを特徴とする携帯通信機器。
【請求項１０】
請求項９の携帯通信機器において、
上記一対の保護具取付用爪部に狭持された電線処理用保護具が、上記回転機構の連結用開口内に挿入され、縦長状態と横長状態とに切換操作する際に該連結用開口内を移動するように構成されている
ことを特徴とする携帯通信機器。
【発明の詳細な説明】
【技術分野】
【０００１】
電気機器の電流、特に電気信号を伝送する電線の保護及び固定するための電線処理用保護具及びそれを備えた携帯通信機器に関する。
【背景技術】
【０００２】
電気機器、例えば携帯通信機器である携帯電話機においては、電源からの電流が各種電気回路部品に流れ、各種電気回路部品間には信号が伝送される。一般的に基板の上に電気回路部品を配置し、これら電気回路部品間には基板上でパターンが這わされ、基板上にない電気回路部品間は電線で結合し、信号を伝えるようになっている。基板上のパターンは電線に比べ多くの容積を必要とせず、コストも安価である。
【０００３】
携帯電話機は、沢山の機能を搭載しつつも外形はコンパクトにすることが要望されている。電線を使用することは外形をコンパクトにするには不利であるが、同じ基板上にない電気回路部品間は電線で結合しなければならない。電線を使用した場合、コンパクト化のために電線の位置を決まった位置に固定しなければならない。この固定のために電線処理用保護具が使用され、この電線処理用保護具自身もコンパクトに設計されなければならない。
【０００４】
電線処理用保護具は、例えば特許文献１では、電源コードと、電源コードの一部分に装着されるストレインリリーフブッシングと、ストレインリリーフブッシングを挿入固定する取付孔が開設され、電気機器のキャビネットに取り付けられる金属製の取付板とからなる電源コード保持装置において、前記取付孔の周面の少なくとも一部に、前記取付板の表面よりも裏面側に絞り込まれた絞り込み部を形成し、前記取付板の表面と前記絞り込み部の裏面との間、及び前記絞り込み部の内周面にて前記ストレインリリーフブッシングを保持するようにしている。
【０００５】
また、特許文献２では、コネクタハウジング内に端子収容室を設け、この端子収容室に端子を収容し、この端子を相手嵌合部とワイヤバレル部とから構成し、コネクタハウジングに各一対のヒンジ部を介して上リヤホルダ及び下リヤホルダを設け、各リヤホルダには各ヒンジ部とは反対側の端面に開口部を有する電線用孔をそれぞれ設け、この各電線用孔の端面を押圧部として構成し、一対のリヤホルダが装着状態では電線Ｄの中心軸Ｃ方向にオフセットして配置され、且つ、各押圧部で電線Ｄをその中心軸Ｃが上下方向に折り曲げられた状態で支持自在にしている。
【０００６】
ところで、特許文献３では、電線処理用保護具とは異なるが、略中心に孔を有する下底、略中心に孔を有する上底の周縁を、孔を有する周壁で連結して釦収容部を設けた円筒を、孔を通るように２分割した第１半円筒部分、第２半円筒部分と、この各半円筒部分の一方の周壁端を連結するヒンジ部と、各半円筒部分の他方の周壁端に設けられ、係止部へ自身の弾性で係合片が係合する係止手段とを備えたドライクリーニングの釦保護具が開示されている。
【特許文献１】特開平０４−１９９５９５号公報
【特許文献２】特開２０００−１０６２４３号公報
【特許文献３】特開平１０−２３６５６９号公報
【発明の開示】
【発明が解決しようとする課題】
【０００７】
しかしながら、上記特許文献１では、取付板の表面と絞り込み部の裏面との間及び絞り込み部の内周面でストレインリリーフブツシングを保持したとき、連結片が外形の外に突出する。
【０００８】
上記特許文献２では、コネクタハウジングは、ヒンジ部により結合され、ヒンジ部を折り曲げるとヒンジ部が外形の外に突出する。
【０００９】
上記特許文献３では、各半円筒部分はヒンジ部で結合され、第１半円筒部分を第２半円筒部分に重ねるとヒンジ部が外形の外に突出する。
【００１０】
上記のようなストレインリリーフブッシングやコネクタハウジングや釦保護具は、ヒンジ部を折り曲げるとヒンジ部が外形の外に突出するようになっている。このため、突出したヒンジ部が余計なスペースを必要とし、電気機器のコンパクト化を阻害するという問題がある。
【００１１】
本発明は、かかる点に鑑みてなされたものであり、その目的とするところは、電気機器の内部に使用する電線処理用保護具の折り畳む部分の構成に工夫を加えることにより、電線を保護及び固定した状態における外形をコンパクトにして、電気機器をコンパクトにすることを目的とする。
【課題を解決するための手段】
【００１２】
上記の目的を達成するために、第１の発明では、電気機器の電流を伝送する電線を該電気機器の内部において保護及び固定するための電線処理用保護具を対象とし、
第１の弾性部材と第２の弾性部材と、該第１の弾性部材と第２の弾性部材とを連結する連結片とで構成され、
上記第１の弾性部材と第２の弾性部材とは、該第１の弾性部材と第２の弾性部材とを折り畳んだ状態で上記電線を包む凹形状溝をそれぞれ有し、
上記連結片は、上記第１の弾性部材における、上記第１の弾性部材と第２の弾性部材との当接面から離れた外周面に連設され、
上記第１の弾性部材における上記連結片と第１の弾性部材との結合部から上記当接面との間には、肉が切り欠かれた連結辺収納用凹部が形成されている。
【００１３】
上記の構成によると、第１の弾性部材と第２の弾性部材とを折り畳んだとき、連結片は第１の弾性部材の連結辺収納用凹部に入り込み、連結片は電線処理用保護具の外形の外に突出しない。このため、電線を保護及び固定した状態における外形がコンパクトになり、電気機器がコンパクトになる。
【００１４】
第２の発明では、上記第１の弾性部材は、上記電線の延びる方向に上記第２の弾性部材よりも長く、該第１の弾性部材と第２の弾性部材とを折り畳んだときに、該第２の弾性部材の両端よりも長く飛び出すように形成されている。
【００１５】
上記の構成によると、電線に接触させたくないものの側に第１の弾性部材を配置することで、保護及び固定された電線は、それらのものに接触しにくくなり、保護能力がさらに向上する。
【００１６】
第３の発明では、上記第１の弾性部材と第２の弾性部材との外周の一部には、該第１の弾性部材と第２の弾性部材とを折り畳んだときに連続した一対の凹部が形成されるように肉が切り欠かれた保護具取付用凹部がそれぞれ形成され、
上記電気機器の内部の構造体には、上記一対の保護具取付用凹部に対応するように該保護具取付用凹部側に突出し、該一対の保護具取付用凹部を狭持する一対の保護具取付用爪部が形成されている。
【００１７】
上記の構成によると、第１の弾性部材及び第２の弾性部材の一対の保護具取付用凹部を構造体の保護具取付用爪部で挟み込むことにより電線の位置決めがされると共に、しっかりと保護及び固定され、製品を組み立てる際や使用時に他の電気部品との干渉が避けられる。
【００１８】
また、第４の発明では、上記保護具取付用突起の先端には、内側へ突出する保護具係止用鉤部が形成され、
上記保護具係止用鉤部に対応するように、上記保護具取付用凹部には、係止部が凹陥されている。
【００１９】
上記の構成によると、保護具取付用爪部を保護具取付用凹部に挿入し、さらに押し込んでその先端の保護具係止用鉤部を係止部に係合させることで、さらに電線処理用保護具が構造部材から抜け落ち難くなる。
【００２０】
第５の発明では、上記凹形状溝は、第１の弾性部材と第２の弾性部材とを折り畳んだときに、上記電線の一端が取付面よりも上方へ向かうように、傾斜して形成されている。
【００２１】
上記の構成によると、電線の一端側を取付面から離れる方向に延ばすことができるので、電線が他の電子部品や基板と接触し難くなる。
【００２２】
第６の発明では、電線処理用保護具は、シリコンゴムとする。
【００２３】
上記の構成によると、シリコンゴムは、絶縁性に優れていると共に、耐オゾン性、耐光性等に優れている。また、柔軟性があるので、構造体の保護具取付用突起に挿入しやすく、離脱しにくくなる。
【００２４】
第７の発明では、電線処理用保護具は、ゴム含有プラスチック樹脂とする。
【００２５】
上記の構成によると、電線処理用保護具は、ゴム含有プラスチック樹脂、いわゆるエラストマーで形成され、柔軟性に富むと共に成形しやすく、様々な色を選択できる。
【００２６】
第８の発明では、携帯通信機器は、本発明の電線処理用保護具を備えている。
【００２７】
上記の構成によると、電線を保護及び固定した状態における電線処理用保護具の外形がコンパクトになるので、コンパクトな携帯通信機器が得られる。
【００２８】
第９の発明では、表示部が設けられた第１の筐体と、
操作部を有する第２の筐体と、
上記第１の筐体と第２の筐体とを折り畳み自在に連結するヒンジ部とを備え、
上記第１の筐体は、回転機構を備え、該回転機構に上記表示部が縦長状態と横長状態とに切換操作可能に支持され、
上記電線処理用保護具は、上記回転機構の内部を通り、上記表示部と上記第２の筐体とを接続する電線を保護及び固定するように構成されている。
【００２９】
上記の構成によると、縦長状態と横長状態との切換時には、表示部と第２の筐体とを接続する電線は、電線処理用保護具によってしっかりと保護及び固定されているので、回転機構内の部品と接触せず、摩耗等により損傷することはない。
【００３０】
第１０の発明では、上記一対の保護具取付用爪部に狭持された電線処理用保護具が、上記回転機構の連結用開口内に挿入され、縦長状態と横長状態とに切換操作する際に該連結用開口内を移動するように構成されている。
【００３１】
上記の構成によると、連結用開口内に挿入された電線は、電線処理用保護具及び保護具取付用爪部によってしっかりと保護及び固定されているので、回転機構内の部品と接触せず、摩耗等により損傷することはない。
【発明の効果】
【００３２】
以上説明したように、本発明によれば、電線を包む電線処理用保護具の第１の弾性部材における連結片と第１の弾性部材との結合部から、第２の弾性部材との当接面との間に連結辺収納用凹部を形成し、電線を包んだ状態で、連結片を連結辺収納用凹部に収納させている。このため、電線を保護する電線処理用保護具の外形から連結片が飛び出さないので、電気機器のコンパクト化を行うことができる。
【発明を実施するための最良の形態】
【００３３】
以下本発明の実施形態を図面に基づき説明する。
【００３４】
図１は、本発明の実施形態に係る電気機器（携帯通信機器）としての携帯電話機１の開いた状態を右方向から見た斜視図である。図２は、図１の閉じた状態を右方向から見た斜視図である。
【００３５】
図１及び図２に示すように、本実施形態の携帯電話機１は、第１の筐体２と、第２の筐体３とを有し、これらがヒンジ部４によって折り畳自在に結合されている。また、第１の筐体２には、回転機構５が設けられ、この回転機構５により、略矩形板状の表示部としての液晶表示部６が縦長状態と横長状態とに切換操作可能に支持されている。この液晶表示部６の表面側に液晶ディスプレイ６ａ、受話部７等が設けられ、裏面側にはサブ表示部１１が設けられている。
【００３６】
上記第２の筐体３の表面側には、送話部８、入力ボタン９、機能ボタン１０等が設けられている。
【００３７】
そして、電話やメールするときには図１のように開いた状態で行い、電話やメールが終われば図２のように閉じた状態で待機し、着信があればサブ表示部１１に着信があったことを知らせる表示が出るようになっている。
【００３８】
また、ＴＶを見たり、メールを横長状態で行いたいときは、図示しないが、液晶表示部６を回転機構５によって横長状態に回転して行うようになっている。
【００３９】
液晶表示部６内の液晶基板１４と第２の筐体３内のメイン基板（図示せず）とは、回転機構５内を通る電線２１で接続されている。電線２１は、複数の細い信号線をまとめて被覆された略同じ太さの２本のものからなる。ただし、この太さは必ずしも同じである必要はない。
【００４０】
図３は、本発明の電線処理用保護具２０が設けられた液晶表示部６の内部を示す平面図である。図４は、図３のIV−IV線断面図である。図５は、マグネシウムフレーム１５に取り付けられた電線処理用保護具２０周辺が回転機構５側に挿入された様子を示す拡大断面図である。図６は、図４の一部拡大断面図である。
【００４１】
第１の筐体２の内部には、構造体としてのマグネシウムフレーム１５が設けられている。このマグネシウムフレーム１５の裏面側に液晶表示部６の液晶基板１４が嵌め込まれ、表面側に液晶ディスプレイ６ａが嵌め込まれている。
【００４２】
マグネシウムフレーム１５は、液晶表示部６の外形よりも若干小さい略矩形薄板形状を有し、その液晶ディスプレイ６ａと反対側（裏面側）に突出する一対の保護具取付用爪部１６を備えている。この保護具取付用爪部１６は、内側に突出する保護具係止用鉤部１７を備えている。この保護具取付用爪部１６は、液晶基板１４の液晶側開口１４ａから突き抜け、上記回転機構５の連結用開口５ａ（図５にのみ示す）を通ってその内部に挿入され、第１の筐体２を縦長状態から横長状態に回転する際に、回転機構５の内部を移動するようになっている。
【００４３】
上記２本の電線２１は、第２の筐体３から延び、その先端に設けたコネクタ３１が液晶基板１４に接続されるようになっている。
【００４４】
図７は、電線処理用保護具２０をマグネシウムフレーム１５に取り付けた様子を示す拡大斜視図である。図８は、電線２１を電線処理用保護具２０で覆った様子を示す斜視図である。図９は、図８のIX−IX線に相当する電線処理用保護具２０の断面図である。図１０は、電線処理用保護具２０の開いた状態を示す斜視図である。図１１は、電線処理用保護具２０の背面図である。図１２は、電線処理用保護具２０の平面図である。図１３は、図１２におけるXIII方向矢視図である。
【００４５】
電線処理用保護具２０は、第１の弾性部材２２と第２の弾性部材２３とを備え、連結片２４で繋がっている。本実施形態では、電線処理用保護具２０は、シリコンゴムで形成されている。シリコンゴムは、絶縁性及び柔軟性に優れていると共に、耐オゾン性、耐光性等に優れている。
【００４６】
上記連結片２４は、上記第１の弾性部材２２における、上記第１の弾性部材２２と第２の弾性部材２３との当接面３０から離れた外周面に当接面３０と平行になるように連設されている。第１の弾性部材２２における連結片２４と第１の弾性部材２２との結合部から上記当接面３０との間には、肉が切り欠かれた連結辺収納用凹部２５が形成されている。この連結辺収納用凹部２５により、第１の弾性部材２２と第２の弾性部材２３とを折り畳んだときに、連結片２４が連結辺収納用凹部２５に入り込んで、電線処理用保護具２０の外形から飛び出さないようになっている。連結片２４は、第１の弾性部材２２と第２の弾性部材２３とを、図示しない成形型で成形する際に同時に形成される。
【００４７】
上記第１の弾性部材２２は、２本の電線２１を保護及び固定するように第１凹形状溝２６を有する。この第１凹形状溝２６は、水平に延びず、一端側から他端側へ傾斜して延び、他端は徐々に狭くなっている。
【００４８】
上記第２の弾性部材２３は、第１の弾性部材２２と同様に第２凹形状溝２７を有する。この第２凹形状溝２７は、逆に一端側から始まり、他端側へ沈む傾斜が設けられている。このことで、図９に示すように、傾斜する２本の連続する空間が形成され、この空間内に２本の電線２１が挟み込まれて電線処理用保護具２０で覆われるようになっている。このことで、図９の右側に電線２１のコネクタ３１側が配設され、液晶基板１４から離れる側の電線２１が回転機構５側へ延び、最終的に第２の筐体３のメイン基板に接続されるようになっている。
【００４９】
図１１及び図１２の斜線部に示すように、この斜線部の肉が切り欠かれ、電線処理用保護具２０を固定するために保護具取付用凹部２８が第１の弾性部材２２と第２の弾性部材２３との外周の対向する位置にそれぞれ凹陥されている。この保護具取付用凹部２８に、上記マグネシウムフレーム１５の保護具取付用爪部１６が入り込んで、左右、前後方向の固定を行うようになっている。
【００５０】
上記第２の弾性部材２３の一対の保護具取付用凹部２８を形成する壁部の角部は、肉が切り欠かれて係止部２９が形成されている。この係止部２９に上記保護具取付用爪部１６の保護具係止用鉤部１７が係合し、電線処理用保護具２０の上下方向の固定を行うようになっている。
【００５１】
−電線処理用保護具の組付手順−
図７に示すように、電線２１を保護及び固定するために第１の弾性部材２２の２つの第１凹形状溝２６上に２本の電線２１のコネクタ３１側から所定距離離れた部分を載せ、連結片２４を中心にして第２の弾性部材２３を折り畳んで、第２凹形状溝２７で電線２１を覆い被せる。
【００５２】
次いで、保護具取付用凹部２８に保護具取付用爪部１６を差し込む。このとき、保護具係止用鉤部１７が、第２の弾性部材２３に設けた係止部２９に係合する。
【００５３】
この保護具取付用爪部１６によって狭持された電線処理用保護具２０で電線２１を保護及び固定する。電線２１のコネクタ３１が液晶基板１４に接続され、電線処理用保護具２０から液晶基板１４と離れる側に傾斜して延びる部分が、回転機構５側に延び、最終的に第２の筐体３のメイン基板に接続される。
【００５４】
−実施形態の効果−
したがって、本実施形態の電線２１を包む電線処理用保護具２０の第１の弾性部材２２における連結片２４と第１の弾性部材２２との結合部から当接面３０との間に連結辺収納用凹部２５を形成し、電線２１を包んだ状態で、連結片２４を連結辺収納用凹部２５に収納させている。このため、電線２１を保護する電線処理用保護具２０の外形から連結片２４が飛び出さないので、携帯電話機１のコンパクト化を行うことができる。
【００５５】
（その他の実施形態）
本発明は、上記実施形態について、以下のような構成としてもよい。
【００５６】
すなわち、上記実施形態では、電線処理用保護具２０は、シリコンゴムで形成されているものとしたが、ＴＰＥ（Thermoplastic-Elastomer）やＴＰＥＥ（Thermoplastic-Polyester-Elastomer）などのゴム含有プラスチック樹脂（エラストマ）、又は通常のゴムで形成されていてもよい。エラストマは、柔軟性に富むと共に成形しやすく、様々な色を選択できる。
【００５７】
上記実施形態では、電線２１は、略同じ太さの２本のものとしたが、この太さは必ずしも同じである必要はない。この場合には、第１及び第２凹形状溝２６，２７の溝幅や深さをそれに合わせて変更すればよい。また、電線２１は、２本のものでなくてもよく、１本や、３本以上であってもよい。この場合には、電線２１の本数に合わせて凹形状溝を設ければよい。
【００５８】
上記実施形態では、第１及び第２凹形状溝２６，２７は、傾斜するように設けているが、取付面に対して水平に設けてもよい。
【００５９】
上記実施形態では、回転機構５を設けて第１の筐体２を縦長状態から横長状態に回転可能としているが、回転機構５を設けなくてもよい。また、ヒンジ部４を設けて第１の筐体２と第２の筐体３とを折り畳み自在に結合しているが、ストレートタイプの携帯電話機であってもよい。
【００６０】
上記実施形態では、液晶ディスプレイ６ａの例を示したが、表示部は、有機ＥＬ表示ディスプレイを備えていてもよい。
【００６１】
上記実施形態では、電気機器は、携帯通信機器のうち、特に携帯電話機としたが、ＰＨＳ、ＰＣ、モバイルツール、電子辞書、電卓、複写機等の携帯電子機器でもよい。
【００６２】
なお、以上の実施形態は、本質的に好ましい例示であって、本発明、その適用物や用途の範囲を制限することを意図するものではない。
【産業上の利用可能性】
【００６３】
以上説明したように、本発明は、電気機器、特に携帯電話機などの携帯通信機器の電流、特に電気信号を伝送する線の保護及び固定するための電線処理用保護具について有用である。
【図面の簡単な説明】
【００６４】
【図１】本発明の実施形態に係る携帯電話機の開いた状態を右方向から見た斜視図である。
【図２】図１の閉じた状態を右方向から見た斜視図である。
【図３】電線処理用保護具が設けられた液晶表示部の内部を示す平面図である。
【図４】図３におけるIV−IV線断面図である。
【図５】マグネシウムフレームに取り付けられた電線処理用保護具周辺が回転機構側に挿入された様子を示す拡大断面図である。
【図６】図４の一部拡大断面図である。
【図７】電線処理用保護具をマグネシウムフレームに取り付けた様子を示す拡大斜視図である。
【図８】電線を電線処理用保護具で覆った様子を示す斜視図である。
【図９】図８のIX−IX線に相当する電線処理用保護具の断面図である。
【図１０】電線処理用保護具の開いた状態を示す斜視図である。
【図１１】電線処理用保護具の背面図である。
【図１２】電線処理用保護具の平面図である。
【図１３】図１２におけるXIII方向矢視図である。
【符号の説明】
【００６５】
１      携帯電話機（電気機器、携帯通信機器）
２      第１の筐体
３      第２の筐体
４      ヒンジ部
５      回転機構
５ａ    連結用開口
６      液晶表示部（表示部）
１５      マグネシウムフレーム（構造体）
１６      保護具取付用爪部
１７      保護具係止用鉤部
２０      電線処理用保護具
２１      電線
２２      第１の弾性部材
２３      第２の弾性部材
２４      連結片
２５      連結辺収納用凹部
２６      第１凹形状溝
２７      第２凹形状溝
２８      保護具取付用凹部
２９      係止部
３０      当接面
【図１】
2007208135.tif 000003
【図２】
2007208135.tif 000004
【図３】
2007208135.tif 000005
【図４】
2007208135.tif 000006
【図５】
2007208135.tif 000007
【図６】
2007208135.tif 000008
【図７】
2007208135.tif 000009
【図８】
2007208135.tif 000010
【図９】
2007208135.tif 000011
【図１０】
2007208135.tif 000012
【図１１】
2007208135.tif 000013
【図１２】
2007208135.tif 000014
【図１３】
2007208135.tif 000015